(57)【特許請求の範囲】
【請求項１】
周囲の或る領域を照明することができるように配置された複数の発光体と、
前記周囲の前記領域内の環境光の光スペクトルを取得するように配置されたＣＭＯＳベースの小型分光計と、
前記取得される光スペクトルにもとづいて前記発光体の発光を変更するための制御手段と
を備え、前記ＣＭＯＳベースの小型分光計がＣＭＯＳ技術を使用して製造された光分散のための格子を有することを特徴とする光電子装置。
【請求項２】
前記小型分光計が、前記環境光の光スペクトルを取得するための光導入部を備えている請求項１に記載の光電子装置。
【請求項３】
前記光導入部を通って到来する光束を増やすために前記光導入部に組み合わせられた少なくとも１つの光学要素をさらに備えている請求項２に記載の光電子装置。
【請求項４】
前記光学要素が、光学レンズの組を含んでいる請求項３に記載の光電子装置。
【請求項５】
第１の端部および第２の端部を有しており、第１の端部が前記光学要素に組み合わせられている導波要素をさらに備えている請求項３または４に記載の光電子装置。
【請求項６】
前記導波要素が、光ファイバ導波路である請求項５に記載の光電子装置。
【請求項７】
前記導波要素の前記第２の端部に組み合わせられた第２の光学要素をさらに備えている請求項５または６に記載の光電子装置。
【請求項８】
前記第１または第２の光学要素が可動であり、
前記第１または第２の光学要素を移動させるための手段をさらに備えている請求項７に記載の光電子装置。
【請求項９】
或る領域の環境光を変更するためのシステムであって、
請求項１〜８のいずれか一項に記載の少なくとも２つの光電子装置と、
該光電子装置の間で情報を伝送するための手段と
を備えるシステム。
【請求項１０】
少なくとも第１の光電子装置が、取得された光スペクトルに対応する光スペクトルパラメータを取得するための手段と、前記光スペクトルパラメータをさらなる光電子装置へと送信するための手段とをさらに備えており、
少なくとも第２の光電子装置が、取得された光スペクトルに対応する光スペクトルパラメータを受信するための手段と、受信されたパラメータにもとづいて自身の発光体の発光を変更するための手段とをさらに備えている、
請求項９に記載の或る領域の環境光を変更するためのシステム。
【請求項１１】
光電子装置から少なくとも１つの光スペクトルパラメータを受信するための手段と、受信された光スペクトルパラメータにもとづいてさらなるパラメータを送信するための少なくとも１つのさらなる光電子装置を決定するための手段と、前記さらなるパラメータを前記決定された光電子装置へと送信するための手段と、を備えるコンピュータサーバをさらに備えている請求項１０に記載の或る領域の環境光を変更するためのシステム。
【請求項１２】
少なくとも第１の光電子装置が、少なくとも受信された光スペクトルパラメータを送信するためのさらなる光電子装置を決定するための手段をさらに備える請求項１０または１１に記載の或る領域の環境光を変更するためのシステム。
【請求項１３】
取得された光スペクトルと所定のスペクトルパターンとの間の類似度パラメータを取得するための手段をさらに備えており、少なくとも受信された光スペクトルパラメータを送信するためのさらなる光再生装置の決定が、取得された類似度パラメータを考慮に入れて実行される請求項１１または１２に記載の或る領域の環境光を変更するためのシステム。
【請求項１４】
当該システムの前記光電子装置のうちの少なくとも１つが、取得された光スペクトルと所定のスペクトルパターンとの間の類似度パラメータを取得するための手段をさらに備えており、該光電子装置において、前記発光体の発光を変更するための手段が、前記取得された類似度パラメータにもとづいて発光を変更する請求項９〜１３のいずれか一項に記載の或る領域の環境光を変更するためのシステム。
【請求項１５】
ニューラルネットワークが、各々の光電子装置を該ニューラルネットワークのノードとして使用して確立される請求項１１〜１４のいずれか一項に記載の或る領域の環境光を変更するためのシステム。
【請求項１６】
第１および第２の光電子装置を備える請求項９〜１５のいずれか一項に記載のシステムにおいて或る領域の環境光を変更するための方法であって、
前記第１の光電子装置の小型分光計によって前記環境光からの光スペクトルを取得するステップと、
前記第１の光電子装置によって前記取得された光スペクトルに対応するパラメータを取得するステップと、
前記取得されたパラメータを前記第１の光電子装置から前記第２の光電子装置へと送信するステップと
を含む方法。
【請求項１７】
請求項１６に記載の環境光を変更するための方法をコンピュータに実行させるためのプログラムインストラクションを含んでいるコンピュータプログラム。
【請求項１８】
記憶媒体上に具現化された請求項１７に記載のコンピュータプログラム。
【請求項１９】
搬送信号上を運ばれる請求項１７に記載のコンピュータプログラム。
【請求項２０】
請求項１〜８のいずれか一項に記載の光電子装置の較正を決定するための、反射部を有する表面を備えた反射装置であって、発光体による実際の発光を反射するために光電子装置の発光体の前方において該反射装置が配置されるように構成され、それにより、反射された前記実際の発光の光スペクトルが光電子装置の小型分光計によって取得できる反射装置。
【請求項２１】
請求項２０に記載の反射装置によって請求項１〜８のいずれか一項に記載の光電子装置の較正を決定するための方法であって、
前記発光体によって照明することができる環境の領域内に前記反射装置の少なくとも一部分を配置するステップと、
前記複数の発光体によって予想光スペクトルを有する光を発するステップと、
前記小型分光計によって、前記反射装置で反射された発光から実光スペクトルを取得するステップと、
前記取得された実光スペクトルと、前記発せられた予想光スペクトルに対応する予想反射光スペクトルとの間の類似度パラメータを取得するステップと、
前記類似度パラメータにもとづいて前記光電子装置の較正を決定するステップと
を含む方法。
【発明の詳細な説明】
【技術分野】
【０００１】
本発明は、周辺光スペクトルを取得して発光を制御するための光電子装置、および発光を変更するためのシステムに関する。
【０００２】
さらに本発明は、発光を変更するための方法、この方法を実行するためのインストラクションを含んでいるコンピュータプログラム製品、光電子装置の較正を決定するための反射装置、および光電子装置の較正を決定するための方法に関する。
【背景技術】
【０００３】
今日では、照明システムの分野において、別途の光スペクトル分析装置（科学用の品質の設備など）あるいは光スペクトルの物理および工学について充分な知識を有する専門家によって特別に設計された他の装置によって前もって取得される光スペクトルを任意に再生することができる幅広い範囲のさまざまな照明装置が存在している。
【０００４】
また、光センサおよび光源を備えており、光センサが、光源によって発せられる光を所与の基準値に最終的に一致させるべく、発せられる光を調節または較正するために、光源によって発せられる光の特性（例えば、色座標または光のレベル）を取得するように向けられている照明装置も存在する。
【０００５】
光センサおよび光源を統合しており、それらの光センサが、（例えば人間の）存在を検出し、この検出の結果に応じて光源によって発せられる光の強度を調節するために使用されている他の種類の照明装置も知られている。例えば、一部の装置においては、電気エネルギの節約という目的で、存在が検出されない場合に光の強度が下げられる。
【０００６】
例えば、米国特許出願公開第２０１０／０００７４９１号が、光の状態の監視にとくに適した統合型の画像認識／スペクトル検出装置を記載している。さらに、この出願は、同じ照明装置を出る光の画像認識およびスペクトル検出を通じて光の状態を自動的に制御する方法を記載しており、とくには画像認識に応答して光の色特性の変化を自動的に制御する方法を記載している。それを行なうために、装置が、画像および運動を認識するための画像センサアレイと、受信される光のスペクトル成分を検出するための例えばファブリーペロー共振器構造またはカットフィルタガラス（ｃｕｔ  ｆｉｌｔｅｒｅｄ  ｇｌａｓｓ）のアレイであってよい光フィルタリング構造とを備えている。
【０００７】
しかしながら、上述の照明装置は、光の細かいスペクトル特性を得るには充分には正確でないフィルタまたは他の構造を使用するという事実ゆえ、特定の用途にとっては不正確であるあらかじめ保存されたスペクトルパラメータまたは光の特性の指標を使用することによって光出力の放射を変更するという事実に関係するいくつかの欠点を呈している。換言すると、これらの照明装置は、例えば装置の配置の環境において見られる移動する物体によって引き起こされる多数回の反射または環境の昼光の状態の変化の結果としてスペクトルの変化が生じるインタラクティブな照明環境における使用に適しておらず、そのようなスペクトル変化にリアルタイムで相応に反応することも不可能である。
【先行技術文献】
【特許文献】
【０００８】
【特許文献１】米国特許出願公開第２０１０／０００７４９１号
【発明の概要】
【発明が解決しようとする課題】
【０００９】
したがって、技術水準において見られる装置の限界を、それらの装置の新たな用途を見つけることができるように克服するという目的において、周囲のスペクトルを測定して発光の光スペクトルを変更するための装置および方法であって、小型分光計によって環境光から取得される光スペクトルに依存して、領域内の環境光スペクトルの変化をリアルタイムで最適な方法で検出することができる装置および方法が提供される。
【課題を解決するための手段】
【００１０】
より具体的には、本発明の一態様によれば、周囲の或る領域を照明することができるように配置された複数の発光体と、前記周囲の前記領域内の環境光の光スペクトルを取得するように配置されたＣＭＯＳベースの小型分光計と、前記取得される光スペクトルにもとづいて前記発光体の発光を変更するための制御手段と、を備えることを特徴とする光電子装置が提供される。
【００１１】
そのような光電子装置によれば、環境照明の変化をそのスペクトル特性を通じて検出し、発光の光特性を所望の方法で変化させることができる環境において反射される光の最適な制御が達成される。
【００１２】
また、点灯時の前記複数の発光体によって照明され、前記分光計に向かって光を反射させる前記環境の前記領域を、さらなる光源によってさらに照明することができ、したがって前記環境光の変化は、光電子装置に隣接し、あるいは光電子装置の付近に位置する他の光（人工、自然、あるいは近傍の物体または人物の反射である）も考慮することができる。
【００１３】
相補型金属酸化膜半導体（ＣＭＯＳ）は、集積回路を製造するための技術である。ＣＭＯＳ技術は、マイクロプロセッサ、マイクロコントローラ、スタティックＲＡＭ、および他のデジタル論理回路に使用されている。ＣＭＯＳ技術は、画像センサ、データコンバータ、および多くの種類の通信のための高度に統合されたトランシーバなど、いくつかのアナログ回路にも使用される。したがって、ＣＭＯＳベースの分光計とは、ＣＭＯＳ設備または工場において一般的に利用される技術的プロセスを使用することによって製造された分光計と理解すべきである。この意味で、分光計に含まれる光を分散させる要素（格子）ならびに光または画像センサを、ＣＭＯＳ技術の範囲内に存在するさまざまな技術を使用して製造できることに、言及する価値がある。
【００１４】
例えば、分散要素を光リソグラフィによって製造することができるが、ナノインプリントなどの他のより先進のプロセスによって製造することも可能である。
【００１５】
ナノインプリント法は、電子ビーム（ｅビーム）リソグラフィによって生成されたパターンを有するスタンプ材料（典型的には、シリコンまたは石英）を利用する。次いで、スタンプが、低粘度のＵＶ硬化型レジストでコートされた基板へと物理的に押し付けられ、所望の回路パターンがワンショットのプロセスで基板へと転写される。基板が、基板を通してＵＶ光を光らせることによって硬化させられる。この時点で、スタンプが取り除かれ、三次元の回路跡が基板の所定の場所に残される。１回のプロセスで基板へと３Ｄパターンを適用できるこの能力は、ＣＭＯＳ技術における光学格子の統合に理想的である。光アレイ（または画像）センサに関して、ＣＭＯＳ技術において最も使用される例は、ＣＭＯＳセンサおよびＣＣＤセンサ（半導体の表面を覆う連続的な絶縁体上のゲートＭＯＳコンデンサの狭い間隔でのアレイ）であるが、ＣＭＯＳと互換な他の光検出システムも存在し、使用できる可能性がある。
【００１６】
さらに、発光体による発光を変更するための手段は、マイクロコントローラ、マイクロプロセッサ、デジタル信号プロセッサ（ＤＳＰ）、フィールドプログラマブルゲートアレイ（ＦＰＧＡ）、または分光器の信号と発光体との間の相互作用の制御に適した任意の他の電子ブロックなどのコンピュータコントローラに含まれてよい。より正確には、前記コンピュータコントローラが、分光器によってもたらされる信号の調整に必要な電子機器を備えることができ、発光体に電力を供給するための駆動用の電子機器をさらに備えることができる。
【００１７】
コンピュータコントローラおよび電子ドライバは、取得された光スペクトルに関連して特定のスペクトル成分を有する特定の光を発光体によって発することができるよう、光電子装置の各々の発光体の出力を振幅変調（ＡＭ）またはパルス幅変調（ＰＷＭ）あるいは他の公知の技術などの技術によって個別に制御するための手段をさらに備えることができる。
【００１８】
取得された光スペクトルと発光との間の関係は、さまざまな複雑さの数式を含むことができる。例えば、最も簡単な関係は、取得されたスペクトルと発光のスペクトルとの間の線形応答であるが、他のより高度な関係を設定することも可能である。例えば、高度に非線形な関係が、取得された光スペクトルのパラメータの関数として光を切り換える用途において可能である。
【００１９】
他の手法は、正しく機能するために発光の連続的な閉ループでの調節を可能にするアルゴリズムを通じての光出力の変更を必要とする可能性がある。
【００２０】
計算または光による通信を含むさらなる仕組みは、マイクロコントローラの通信ポートまたは他の記憶ノードを通じて取得される入力変数などの他の入力変数を使用する取得された光と発光との間の複雑な数学的関係を必要とすることができる。
【００２１】
このように、用途に応じて、取得された光スペクトルと、通信ポートまたは記憶ノードを通じて入力される入力と、発光との間に、幅広くさまざまな関係が可能である。
【００２２】
また、光電子装置によって発せられる光スペクトルについて完全な制御を実現できるため、人間の眼が最も敏感である領域にのみスペクトルパワーをもたらすことによって、異なる発光効率（ＬＥＲ）を有するスペクトルを発することができ、エネルギ効率が心配される用途について環境のエネルギ消費を調節する興味深い手段がもたらされる。
【００２３】
さらに、光電子装置を、部屋の天井または広域などの領域の表面に固定することができ、あるいは或る場所から他の場所へと運んで必要な場所に配置して任意の位置で使用することができるような方法で可搬の携帯デバイスとして具現化させてもよい。
【００２４】
一実施形態によれば、前記分光計が、環境光の光スペクトルを取得するための光導入部を備える。
【００２５】
さらなる実施形態によれば、装置が、前記光導入部を通って到来する光束を増やすために前記光導入部に組み合わせられた少なくとも１つの光学要素を備える。
【００２６】
この方法で、光導入部に組み合わせられた光学要素を使用することによって、前記光導入部の光の収集の立体角が大きくなり、したがってより大量の環境光が得られる。したがって、信号対雑音比が大きくなるため、所与の領域から取得される環境光の光スペクトルがより正確になる。
【００２７】
特定の実施形態によれば、前記光学要素が、光学レンズの組を含んでいる。
【００２８】
適切に設計された光学レンズまたはレンズ組は、今日の小型分光計の低い光感度に鑑みてとりわけ環境の光強度が低く、あるいは暗すぎる場合に取得が難しい環境からの周囲光の結合束を、大きく改善できる。
【００２９】
さらに、装置は、第１の端部および第２の端部を有しており、第１の端部が前記光学要素に組み合わせられている導波要素をさらに備えることができる。この導波要素は、例えば光ファイバ導波路またはＣＭＯＳ技術へと統合された導波路であってよい。
【００３０】
追加の導波路は、分光計が前記複数の発光体から離れた領域にカプセル化される場合に有用かもしれない。この方法で、導波路へと進入する光を、分光計の導入部へと案内することができ、分光計の導入部を、その周囲の光のすき間を補償するための特定の位置に必ずしも配置しなくてもよく、光電子装置の構成要素のより効率的な配置が可能になる。
【００３１】
別の実施形態によれば、装置が、前記導波要素の前記第２の端部に組み合わせられた第２の光学要素をさらに備える。
【００３２】
第２のレンズまたはレンズ組が、到来する光束を導波路の第２の端部に効率的に結合させるために有用となりうる。例えば、光ファイバの第２の端部が、拡散した環境光を集めるために適した開口数を有さなくてもよく、したがって環境光から到来する光子の量を増やすために、レンズまたはレンズ組を（光が環境から集められる）端部に使用することができる。
【００３３】
また、発光体は、レーザあるいは量子ドットおよび／または種々の蛍光体のワイヤで製作される発光体などの挟帯域のスペクトルを有する発光に適するとりわけＬＥＤあるいは他の同様またはより先進の固体発光体であってよい少なくとも１つの固体発光体を備えることができる。
【００３４】
あるいは、用途に応じ、紫外（ＵＶ）ＬＥＤの波長下方変換によって動作するリン光体ベースのＬＥＤや、他の伝統的な照明技術など、他の適切な高帯域の発光体を使用することもできる。
【００３５】
本発明の一実施形態によれば、前記第１または第２の光学要素が可動であり、装置が、前記第１または第２の光学要素を移動させるための手段をさらに備える。
【００３６】
この方法で、光学要素を、対象の環境光が発見される特定の領域へと向けることができ、したがって光電子装置を表面に固定しながら、所定の１つの領域ではなく近傍の種々の領域からの光スペクトルを取得することができる。また、装置の構成要素を、随意によりただ１つのハウジングに組み込むことができ、したがって光電子装置を、伝統的な電球と同等の体積を有し、コンパクトかつ種々の領域への配置に適合できるようにすることができる。
【００３７】
考えられる実施形態においては、すでに述べたような光電子装置が、複数の発光体を備えることができ、さらに光電子装置を、ケーブル、無線、または任意の種類の通信技術によって、少なくとも１つの別の発光体に、この発光体の発光も変更することができるように接続することができる。この方法で、１つの光電子装置を１つの位置に配置することができ、しかしながらこの光電子装置が、自身の発光体だけでなく、例えばその領域への光電子装置の設置前にすでに設置済みであってよい近傍の他の発光体も制御することができる。
【００３８】
本発明の第２の態様によれば、或る領域の環境光を変更するためのシステムであって、すでに説明したとおりの少なくとも２つの光電子装置と、これらの光電子装置の間で情報を伝送するための手段と、を備えるシステムが提供される。
【００３９】
本発明の一実施形態によれば、このシステムが、
・少なくとも第１の光電子装置が、光スペクトルパラメータを取得するための手段と、取得された光スペクトルに対応する光スペクトルパラメータをさらなる光電子装置へと送信するための手段とをさらに備え、
・少なくとも第２の光電子装置が、取得された光スペクトルに対応する光スペクトルパラメータを受信するための手段と、受信されたパラメータにもとづいて自身の発光体の発光を変更するための手段とを備える、ようなシステムであってよい。
【００４０】
この方法で、システムは、或る領域の環境光に任意または特定の外的変化（例えば、窓からの光の進入またはユーザによるろうそくの点灯）が生じたときに、１つ以上の光電子装置が環境光のスペクトルの変化を通じてこの変化または動揺を検出でき、この変化に関する情報を隣接または隣接でなくてもよい１つ以上の光電子装置へと送信できるような方法で、この領域に配置された複数の光電子装置を有することができる。これは、例えば、第１の装置によって検出された任意または特定の環境変化に応答して、他の装置が自身の発光体の光の光スペクトルを変更することによって、考慮中の領域の全体に特定の環境光の強度および／またはスペクトル分布を再現することを可能にする。
【００４１】
取得された光スペクトルに対応する光スペクトルパラメータは、いくつかの異なるデータを含むことができる。例えば、光スペクトルが取得されるとき、１つの可能性は、装置が前記特定の取得された光スペクトルのスペクトルデータ点の組の全体を含むパラメータを送信し、したがってさらなる装置がこれらのデータを受信して、自身の発光体で前記受信したスペクトル成分を有する光を発することができることである。この機能の方法を、受信側の装置が別の装置によって取得された環境光からコピーされた光を発するがゆえに、「コピーモード」と称することができる。
【００４２】
光スペクトルパラメータの他の特定の例は、任意の色空間における色座標、相関色温度（ＣＣＴ）、黒体軌跡（Ｄｕｖ）からの距離、有効性（ｅｆｆｉｃａｃｙ）などのエネルギ効率変数、カラーレンダリング情報（ＣＲＩ（カラーレンダリングインデックス）またはＣＱＳ（カラークオリティスケール）など）、全光束または光度、光の方向性、など、スペクトル情報から抽出することができる任意の光特性に関する。
【００４３】
さらに、パラメータは、取得された光スペクトルを通じて推論されるが、取得された光そのものの物理的または比色分析的な特性に直接には関係しない他の特性を反映することができる。すなわち、パラメータが、物体の色、形状、位置、速度、または空気の品質の制御についての情報をもたらす特定の空間内の物体または人物の幾何学的な情報を含むことができる。また、変化の速度または点滅する物体など、時間依存性または動的な現象についての情報を含むこともできる。
【００４４】
さらに、パラメータとして受け渡される情報は、必ずしも取得された光スペクトルから直接的に抽出される必要はなく、抽出された別のパラメータについての何らかの基準によってトリガされることができる。基準が満たされた場合に送信されるパラメータを、記憶ノードに保存することができ、あるいはマイクロコントローラにおいて実行される特定のアルゴリズムを通じてリアルタイムで生成することができ、もしくは基準が満たされた場合に送信されるパラメータが、後に他の光電子装置またはコンピュータによって読み取られる送信可能かつ理解可能な言語またはプロトコルにエンコードされた詳細なプログラムコードまたはインストラクションを含むことさえ可能である。
【００４５】
例示の目的で、具体的な応用の例は、とりわけエネルギ効率／特定の内部または外部空間の節約を最大にするようにプログラムまたは設計された光電子装置のシステムであってよい。そのような構成では、１つ１つの光電子装置が、移動している物体がその分光計によって測定される光の反射によって検出されるときに、光電子装置からなるネットワークの残りの部分へと、それらの出力光束をあらかじめ設定された快適さのレベルまで徐々に高めるようにとのインストラクションが送信されるような方法でプログラムされる。あるいは、インストラクションが、出力光束に言及するのではなく、色品質または任意の他のスペクトル特性に関係した別の光パラメータに言及してもよく、あるいはおそらくは、記憶ノードに保存された任意の他の光プリセットを再現することができる。
【００４６】
他のより複雑なインストラクションは、考慮中の用途に応じて、光電子装置の或る組にだけ送信される動作またはインストラクションに関係し、あるいは装置の或る組が特定の所定の光スペクトルを有する光を発することを可能にするパラメータを含むことができる。
【００４７】
光スペクトルパラメータを送信するための手段は、イーサネットケーブル、無線通信、またはデジタルデバイス間のデータの送信に一般的に用いられる任意の他の適切な種類の通信など、任意のプロトコルを使用し、あらかじめ確立され、あるいはシステムの用途に合わせて具体的に設計される任意の通信網であってよい。
【００４８】
さらに、環境光のスペクトルの変化に対応する第１のパラメータを受信する光電子装置が、自身の発光体によって発せられる光の光スペクトルを変更するための手段を備えるだけでなく、前記環境光スペクトルの変化に対応するさらなるパラメータを他の光電子装置へと送信するための手段をさらに備えることができる。
【００４９】
この方法で、所望の用途に応じて、特定の領域（装置によって変化が検出される領域）の光のスペクトルの変化を監視するために使用できるパラメータを、（例えば残りの装置への信号の放送によって）他の装置へと直接送信することができ、あるいはいくつかの装置からなる連鎖を通過させることによって送信することができる。
【００５０】
光スペクトルの変化は、領域内で見られる周辺光の変化（例えば、窓を通って領域内に進入する天気または１日のうちの時刻に関連した日光の変化、あるいはその領域において見られる灯火などの人工光のオン／オフ状態の変化）によって引き起こされてよい。また、不動または移動する物体または人物の存在も、領域の一部分の環境光スペクトルに影響を及ぼす可能性がある。例えば、人物の衣服の色に応じて、いくつかのスペクトル成分がろ過され、光電子装置によって集められる反射光を変化させる可能性がある。これらの異なる変化を、領域内の種々の状況を認識し、これらの変化に応じた動作を実行するために使用することができる。
【００５１】
気象条件の変化（例えば、日光の変化）、システムの領域における人間または動物の出入り、あるいは（例えば建物および病院における）人物の追跡または物体（例えば家庭または博物館における高価値な物体）の追跡などの動的な事象の検出、もしくはパターン認識を必要とする他の用途に対応するパターンなど、さまざまなスペクトルパターンを認識することができる。これらの刺激のいずれかに応答して、システムは、システムの光電子装置の一部またはすべてを使用して特定の所定の環境光を発することによって反応することができる。
【００５２】
さらなる実施形態によれば、或る領域の環境光を変更するための前記システムが、光電子装置から少なくとも１つの光スペクトルパラメータを受信するための手段と、受信された光スペクトルパラメータにもとづいてさらなるパラメータを送信するための少なくとも１つのさらなる光電子装置を決定するための手段と、前記さらなるパラメータを前記決定された光電子装置へと送信するための手段と、を備えるコンピュータサーバをさらに備える。
【００５３】
光電子装置を、任意の光電子装置によって取得された任意の光スペクトルに対応するパラメータを受信することができるコンピュータサーバへと接続することができ、光電子装置が、他のどの光電子装置が前記パラメータまたは他の情報（この情報により、この情報を受信した装置が特定の光スペクトルを有する光を発することができる）を受信することができるかを決定することができる。第１の取得された光スペクトルに対応するパラメータが、さらなる装置の発光体による第２の特定のスペクトルを有する光の放射を生じさせることができ、第１および第２のスペクトルが必ずしも同じでなくてもよいことを、指摘しておかなければならない。
【００５４】
あるいは、本発明の別の実施形態によれば、少なくとも第１の光電子装置が、少なくとも受信された光スペクトルパラメータを送信するためのさらなる光電子装置を決定するための手段をさらに備える。
【００５５】
また、パラメータを送信するためのさらなる装置を決定するための前記手段は、システムについて意図される各々の特定の用途の要件に応じて、１つ以上の装置に含まれてよく、あるいは決定手段を備えるコンピュータサーバおよび決定手段を備える他の装置の組み合わせに含まれることができる。
【００５６】
さらなる実施形態によれば、システムが、取得された光スペクトルと所定のスペクトルパターンとの間の類似度パラメータを取得するための手段を備え、少なくとも受信された光スペクトルパラメータを送信するためのさらなる光再生装置の決定が、取得された類似度パラメータを考慮することによって実行される。
【００５７】
これは、動作の決定の方法であってよい（例えば、装置の発光体が特定の光スペクトルを発することを可能にし、あるいは他のパラメータを他の装置へと送信する）。例えば、異なる状況（太陽光、ろうそくの光、蛍光、自然現象、など）に対応するいくつかの所定の光スペクトルを、取得された光スペクトルとの比較を実行し、行なうべき動作（例えば、より低い強度または支配的な色を有するスペクトルの発光、さらなる装置からの発光体群のスイッチオフ、など）を決定するために使用することができる。
【００５８】
劇場またはライフスポーツに適用することができる別の例は、催しの最中に特定の事象に対応する種々のパターンを検出するように設定または学習が行なわれたシステムに関し、そのようなパターンが一旦検出されると、システムの光電子装置の一部またはすべてを含むことができる特定の種類の照明の状態または動的な照明効果を生じさせることができる。
【００５９】
広い意味で、潜在的に、個人の動作が主たる入力となり、照明システムが全体として反応し、１つ１つの装置が、自身の取得したスペクトル情報の処理ならびに／あるいは他の光電子装置またはコンピュータサーバへのパラメータの送信を行ない、システム全体が、任意の特定の用途またはゲームに関係した所定の効果を達成し、あるいは単に個人と光との間に或る程度の双方向性を有する空間雰囲気を生成するように機能する多数の用途のための他の複雑なインタラクティブ環境を生成することが可能である。
【００６０】
さらなる実施形態によれば、システムの少なくとも１つの光電子装置が、取得された光スペクトルと所定のスペクトルパターンとの間の類似度パラメータを取得するための手段をさらに備え、この光電子装置において、前記発光体の発光を変更するための手段が、前記取得された類似度パラメータにもとづいて発光を変更する。
【００６１】
さらなる実施形態によれば、ニューラルネットワークが、システムの各々の光電子装置をニューラルネットワークのノードとして使用して確立される。
【００６２】
本発明のさらなる実施形態によれば、第１および第２の光電子装置を備えている或る領域の環境光を変更するためのシステムにおいて、或る領域の環境光を変更するための方法が、
・前記第１の光電子装置によって環境光からの光スペクトルを取得するステップと、
・前記第１の光電子装置によって前記取得された光スペクトルに対応するパラメータを取得するステップと、
・前記取得されたパラメータを前記第１の光電子装置から前記第２の光電子装置へと送信するステップとを含む。
【００６３】
また、さらなる実施形態によれば、環境光を変更するための方法をコンピュータに実行させるためのプログラムインストラクションを含んでいるコンピュータプログラム製品が提供される。このコンピュータプログラムを、記憶媒体上または搬送信号上に具現化させることができる。
【００６４】
さらに、本発明の別の態様によれば、すでに説明したとおりの光電子装置において領域内の環境光の光スペクトルを取得するためにＣＭＯＳベースの小型分光計が使用される。
【００６５】
本発明のさらなる態様によれば、すでに述べたとおりの光電子装置の較正を決定するための反射装置であって、反射部を有する表面を備えている反射装置が提供される。
【００６６】
さらに、すでに述べたとおりの反射装置によって光電子装置の較正を決定するための方法であって、
・前記発光体によって照明することができる環境の領域内に前記反射装置の少なくとも一部分を配置するステップと、
・前記複数の発光体によって予想光スペクトルを有する光を発するステップと、
・前記小型分光計によって、前記反射手段によって少なくとも部分的に反射された光から、実光スペクトルを取得するステップと、
・前記取得された実光スペクトルと、前記発せられた予想光スペクトルに対応する予想反射光スペクトルとの間の類似度パラメータを取得するステップと、
・前記類似度パラメータにもとづいて前記光電子装置の較正を決定するステップとを含む方法が提供される。
【００６７】
この方法で、反射装置を使用することによって、電子ドライバによって発光体へともたらされる電力（電流および／または電圧）とこの発光体の実際の光出力との間の関係について較正を実行することができる。
【００６８】
反射装置は、領域内への配置に適しており、発光体によって照明されることができる任意の装置であってよく、例えば発光体の前方に配置され、ねじ込みまたは任意の固定手段によって取り付けられるカバーであってよい。反射面は、その反射特性が光電子装置にとって既知（あるいは、光電子装置によって取得可能）であり、したがって反射スペクトルがどのようになるかを、発せられた光に鑑みて取得することができるような面である。
【００６９】
より具体的には、予想される所定の光を、発光体へと特定の所定の電流または電圧を供給（例えば、ドライバを使用してそのような電流または電圧を生成することができるマイクロコントローラによって）することによって発することができる。前記予想される光を発するステップを、前記反射装置を配置するステップの実行後に実行することが、反射装置によって反射された実光スペクトルを取得するステップが、前記配置するステップおよび前記発するステップの後に実行される限りにおいて、必須ではないことに注意すべきである。
【００７０】
したがって、例えば発光体の前方において光電子装置へとねじ込みまたは取り付けされるカバーであってよい高反射の装置を配置することによって、実際の発光（予想される発光でなくてもよい）が前記装置の表面において反射され、この実際の反射光の光スペクトルが分光計によって取得される。
【００７１】
反射装置の反射の応答が既知であるため、予想される発光スペクトルに対応する予想反射光スペクトルを前もって決定（例えば、光電子装置のメモリ手段に保存）でき、したがって取得された実際の光スペクトルとの間の類似度パラメータを取得することができる。
【００７２】
この類似度パラメータが、予想反射光スペクトルと取得された実際の光スペクトルとが異なることを意味している場合、これは、発光体が想定とは異なる光を発している可能性があり、例えば発光体へと加えられる電流または電圧を変更することによって較正を実行しなければならないことを、意味していると考えられる。
【００７３】
これは、発光体の発光特性が使用の期間において変化する可能性があり、時間が経つにつれて同じ光を発するために異なる電流および／または電圧が必要になる可能性があるため、有用となりうる。
【００７４】
分光計を発光体に向かって直接案内することができる機械的な部分からなる方法など、光電子装置の光出力を較正するための他の方法も使用可能である。
【００７５】
本発明のいくつかの実施形態を、以下で、あくまでも本発明を限定するものではない例として、添付の図面を参照して説明する。
【図面の簡単な説明】
【００７６】
【図１】本発明の好ましい実施形態による光電子装置を示している。
【図２ａ】本発明の別の好ましい実施形態による光電子装置の一部分の種々の代案を示している。
【図２ｂ】本発明の別の好ましい実施形態による光電子装置の一部分の種々の代案を示している。
【図２ｃ】本発明の別の好ましい実施形態による光電子装置の一部分の種々の代案を示している。
【図３】本発明の好ましい実施形態によるカプセル化された光電子装置を示している。
【図４】図３に示した本発明の好ましい実施形態による光電子装置の詳細を示している。
【図５】或る領域の環境光を変更するための本発明のさらなる好ましい実施形態によるシステムを示している。
【図６】或る領域の環境光を変更するための本発明のさらなる好ましい実施形態によるシステムを示している。
【発明を実施するための形態】
【００７７】
本発明の第１の好ましい実施形態によれば、本発明による光電子装置が、添付の図面によって説明される。より具体的には、図１に、小型分光計１０２を備える光電子装置１００が示されており、この分光計１０２が、光導入部と、この光導入部と外部との間に配置され、環境光から分光計１０２の光導入部へと結合する光束を最大にするような方法で設計された第１の結合レンズ１０１とを備えている。
【００７８】
さらに、この実施形態によれば、分光計１０２およびその結合レンズ１０１が、ＬＥＤアレイをＬＥＤパネル１０３（より具体的には、プリント基板またはＰＣＢ）に埋め込んで備えているパネルの中央に配置されている。この位置は、光導入部およびレンズ１０１の光軸がＬＥＤパネル１０３によって発せられる光（すなわち、光の角度分布の対称軸）と同じ方向を向き、したがってＬＥＤによって照明される領域の少なくとも一部分の環境光を捕捉するため、最適である。ＬＥＤのＰＣＢ１０３によって発せられた光が、対象物および特定の領域の表面に衝突し、この反射または散乱光の一部が、結合レンズ１０１を介して分光計１０２によって再び捕捉され、集められた光を分析することによって周囲の抽出情報を抽出することができる（周辺光の調査）。結合レンズ１０１は、考慮中の空間に存在するＬＥＤパネル１０３とは異なる他の光源からの光も、直線的な光路を辿ることにより、あるいは空間内での１回または複数回の反射の後で、結合させる可能性がある。このようにして、本発明において示される光電子装置に類似または非類似のさまざまな光源（例えば、自然光または人工光）から出る光子が、結合レンズによって集められる結果となりうる。
【００７９】
分光計１０１およびそのレンズ１０２の配置は、光電子装置について意図される用途に応じ、あるいは各々の装置の機能に応じ、もしくは装置が領域内にどのように分布させられるかに応じて、さまざまであってよく、したがって各々の装置が、システムにおいて異なる方法で制御される。分光計１０２の配置の変種を示す他の実施形態が、さらなる図によって後述される。
【００８０】
分光計１０２は、この例ではナノインプリントによる格子を備えるマイクロ分光計であるＣＭＯＳ型のマイクロチップにて具現化されるが、そのような格子をマイクロチップ内に具現化できる幅広くさまざまな技術が存在し、それらも適切でありうる。適切なマイクロ分光計の市販の例は、Ｈａｍａｍａｔｓｕ  ＴＭによって製造される新型の一連のマイクロチップに具現化された分光計であってよい。
【００８１】
さらに、装置１００は、自身のＬＥＤパネル１０３または他の光源によって発せられる光１０４を変更するための手段を備えている。そのような手段は、分光計からの信号をマイクロコントローラによる処理に適した電気信号へと調整するための手段を備える電子マイクロコントローラにおいて具現化される。また、マイクロコントローラまたは専用の電子機器が、小型分光計によって読み出される光スペクトルを受信して調整し、一連の規則に従い、種々の状況および装置について意図される用途に応じて、電子ドライバを通じて適切な電流を送ることによってＬＥＤパネル１０３の一部または全体の発光を変更することができる。マイクロコントローラの最適化アルゴリズムが、所望の全体としての発光のスペクトルを得るために１つ１つのＬＥＤに必要な電流を（較正表を読み取ることによって）決定することができる。この発光のスペクトルは、すべての個別のＬＥＤの光スペクトルの合計である。
【００８２】
ＬＥＤパネル１０３に埋め込まれたＬＥＤアレイは、電磁スペクトルの特定の部分をそれぞれ発することができるいくつかのＬＥＤを備えることで、可視光または不可視光あるいは両方の組み合わせを含むことができる特定の用途のスペクトル範囲の全体をカバーする。これは、特定のスペクトル成分を発しなければならない場合に、所望のスペクトルを得るためにシステムが各々のＬＥＤの発光の強度を変化させることができるため、有用である。したがって、多数のＬＥＤ（典型的には、５〜５０個の間の範囲）が使用され、この数が多いほど、任意の光スペクトルをより正確に再現することができる。最良の均質性および測光特性を達成するために、ＬＥＤ  ＰＣＢ１０３を、レンズおよびディフューザを備えるさらなる光学系に取り付けることができる。
【００８３】
図２Ａに詳しく見て取ることができるように、分光計１０２およびレンズ１０１を、図１の構成に示されるように周辺光を結合させるために、直接接触の状態に保持することができる。図２Ｂに示されるように、光ファイバ１０５の形態の導波路が一端においてレンズ１０１へと取り付けられ、他端において元のレンズ１０１と同様のさらなるレンズ１０１ａへと取り付けられる別のより高度な構成も可能である。この方法で、所望の環境光を得るために分光計１０２およびレンズ１０１を同じ場所に配置する必要がなく、光ファイバが可撓であるがゆえに、第２のレンズ１０１ａおよび第２のレンズ１０１ａへと取り付けられたファイバの端部だけを所望の表面に配置しながら、ファイバの開口数および光学系全体のラグランジュの不変量に応じて、先の図２Ａの代案と同等またはより高いレベルの結合束を受け取ることができる。
【００８４】
別の代案は、１つではなくて２つの光ファイバ１０５ａ、１０５ｂがハウジング内に配置され、一端が第１のレンズ１０１へと取り付けられ、他端が２つのさらなるレンズ１０１ｂ、１０１ｃへと取り付けられている図２ｃに示される代案であってよい。これらのレンズが、ほぼＬＥＤアレイと同じ平面に配置される一方で、分光計１０２を、結合レンズ１０１ｂおよび１０１ｃからさらに遠くに配置することができる。この方法で、光電子装置のより良好なカプセル化が達成され、考慮中の空間内の異なる領域または方向から到来する光を集めるために、可動の結合要素１０５、１０５ａ、１０５ｂ、１０１ａ、１０１ｂ、１０１ｃを備えるさらなる構成も可能になる。これらの可動の部品も、マイクロコントローラによって制御することができる。
【００８５】
このカプセル化を、図２ｃに示した光ファイバの構成を電子ブロック１０６とともに備える光電子装置１００のパッケージングを示している図３においてよりよく見て取ることができる。
【００８６】
この構成においては、レンズ１０１ｂおよび１０１ｃによって集められた光子が、レンズ１０１を介して分光計１０２へと結合させられる。小型分光計１０２が、これらの光子をそれらのエネルギに従って分類し、得られた光子分布（スペクトル）を表わす電子信号をもたらすことができる。随意による信号調整電子ブロック１０６ａが、分光計１０２とマイクロコントローラ１０６ｂとの間で信号および動作モード（例えば、読み出しプロセスの積分時間、ＣＭＯＳセンサの感度または利得、など）を調整するために必要であるかもしれない。マイクロコントローラ１０６ｂが、ひとたびスペクトル情報が読み出されたならば、専用のアルゴリズムによって特定のスペクトルパラメータを計算し、後にＬＥＤアレイ１０３のスペクトル出力を変化させる電子ドライバ１０６ｃにより、さらには／あるいは例えばパラメータまたは前もって保存された情報をネットワークを介して送信する通信／保存ブロック１０６ｄによって、行動することができる。当然ながら、スタンドアロンの装置用の電池および／またはコンセントに差し込まれる装置用の電流整流器で構成される最終的なパワーエレクトロニクスブロック（単純にするために図面からはあえて省略されている）も、必要であると考えられる。
【００８７】
さらに、図３に示した装置は、図２に示した光結合の構成のいずれにおいても、多数の光ファイバが結合レンズ１０１（一部は可動であってもよい）へと結合されても、普遍性を失うことなく機能することができる。あるいは、本発明の技術的範囲を限定することなくさらなる機能をもたらすために、温度センサ、湿度センサ、気流速度センサ、光強度センサ（シリコン、太陽電池、など）、イメージ（ＣＭＯＳまたはＣＣＤアレイ）センサなど、他のセンサを容易に統合することができる。
【００８８】
図４が、光電子装置のベースを示しており、ＬＥＤパネル１０３およびＬＥＤパネル１０３における複数のＬＥＤ２０３の典型的な配置が示されている。任意のスペクトルを再現することができる複数の発光体２０３を含んでいる基本セルが、全体としての発光の放射（不可視の用途）または照明（可視の用途）の力を高めるために、周期的に複製されている。同時に、この複製は、出力される光の色およびスペクトルの均質性の向上をもたらす。
【００８９】
さらなる好ましい実施形態によれば、図５が、領域５００の環境光を変更するためのシステムであって、複数の光電子装置１００ａ〜１００ｄを備えており、光電子装置１００ａ〜１００ｄのＬＥＤパネル１０３ａ〜ｄ（１０３ａだけが標記されている）が部分領域３０１ａ〜３０１ｄをカバーしており、光電子装置１００ａ〜１００ｄの小型分光計１０２ａ〜ｄ（１０２ａだけが標記されている）が部分領域３００ａ〜３００ｄをカバーしているシステムを示している。
【００９０】
この特定の状況に見て取ることができるとおり、各々の装置のＬＥＤパネルによって発せられる光の円すい（部分領域３０１ａ〜３０１ｄ）が、３０２のように互いに部分的に重なり合っている。同じ方法で、各々の分光計の「検出」の円すい（部分領域３００ａ〜３００ｄ）が、３０３のように隣の装置が発する光の円すいと重なり合っている。
【００９１】
この方法で、装置が「コピーモード」にプログラムされている（すなわち、ＬＥＤアレイの発光を変更するための手段が、同じ装置の分光計によって得られた光スペクトルに正確に一致する光を発するようにプログラムされている）とき、装置の分光計によってカバーされる部分領域のうちの１つにおいて光スペクトルに外的な変化または動揺が生じると、該当の装置が前記変化を検出し、検出された光スペクトルを有する光を発し始める。次いで、そのＬＥＤアレイによってカバーされる領域が、他の装置の分光計によって検出され、結果として、これら他の装置が新たな光スペクトルを取得して、この新たな光スペクトルを有する光を発し始め、したがって元の動揺をすべての装置によってカバーされる領域の全体へと広げ、この最初の変化または動揺に応答した新規な環境光を達成する連鎖反応が生じる。
【００９２】
システムの領域の一部分の光スペクトルの前記変化（１つの装置によって検出することができる）は、領域外から到来する光の変化（例えば、太陽光、別の空間から到来する人工光の点滅、など）によって引き起こされても、意図的に行なわれる変化（誰かが分光計へと懐中電灯を向ける）によって引き起こされても、あるいは例えば部屋への人々の進入またはその部屋での人々の移動によって引き起こされてもよい。
【００９３】
また、環境光の変化を、特定の光電子装置のＬＥＤのアレイの発光のプログラムされた変化（すなわち、例えば１日のうちの特定の時刻において実行されるようにユーザによってプログラムされてあらかじめ保存された光スペクトルでの発光）によって引き起こすこともでき、システムのただ１つの装置の発光だけを単に自動的に変化させるだけで、連鎖反応および領域の環境光の全体の変化を可能にすることができる。
【００９４】
当然ながら、システムの装置を、装置間で異なってプログラムすることができ、装置の一部を静的（スペクトルが変化しても発光が変わらない）にし、他の一部を変更可能（例えば、上述の「コピーモード」にて機能する）にすることができる。
【００９５】
このシステムについて考えられる用途は、例えば、窓に近い装置から建物の内部への昼光照明の状況についての情報の伝達であってよい。
【００９６】
他の用途として、インテリジェントな照明環境と人間とのやり取りが挙げられ、人間の表現が、環境において所望の客観的状態または感情的状態を達成するために、インテリジェントなシステムへの入力として有効な役割を果たす。
【００９７】
さらなる例として、インタラクティブなゲームが挙げられる。例えば、異なる色の懐中電灯を有するユーザが、自身の懐中電灯またはトーチを装置へと向けることによって領域の全体的な照明を変化させなければならず、領域のすべての光を自身の色へと変えたチームが勝者となるゲームである。
【００９８】
本発明のさらなる実施形態は、複数の光電子装置をすでに述べたシステムのように配置して備えており、発光体の各々の固有波長が通信チャネルを呈しているシステムであってよい。この意味で、ユーザまたはコンピュータプログラムが、特定の光電子装置を発光体として機能するように制御することができ、チャネル数は、異なる固有波長を有する発光体の数によって決まり、各々の信号チャネルにおいて、あらゆる種類のデジタル、多論理、またはアナログ通信プロトコルが可能である。この方法で、残りの光電子装置が、自身の分光計によってこれらのスペクトル成分を受信し、同じ光スペクトルを有する光を再現することによって他の装置への同じ情報の伝達を続けることができ、あるいは各々の通信チャネルに含まれる情報をデコードすることによって情報を解読し、必要な動作を行なうことができる。
【００９９】
この方法で、情報を発光の光スペクトルにエンコードする（すなわち、１つ１つのＬＥＤの固有波長を通信チャネルとして使用することによってエンコードする）ことができ、前記第１の光電子装置によって発せられたときに、発光を他の光電子装置によって検出することができ、それらが「コピーモード（装置が或る光スペクトルを取得し、自身のＬＥＤアレイで同じ光スペクトルを発する）」に設定されている場合、連鎖反応が引き起こされ、エンコードされた情報を含む光スペクトルが、他の光電子装置による発光−コピーの連鎖によって送信される。
【０１００】
本発明のさらなる実施形態においては、システムが、システムのすべての光電子装置へと接続されたコンピュータサーバを備える。この接続（ケーブルを介する通信ネットワーク、無線、またはコンピュータデバイス間の任意の他の適切な種類の通信による）は、光電子装置が自身の該当の領域において検出される光スペクトルの変化に対応する情報を前記サーバへと送信し、任意の光電子装置によって実行されるべき動作をサーバに制御させることを可能にする。コンピュータサーバによって行なわれる決定は、１日における時刻または他の関連情報（例えば、他の光電子装置、他のセンサ、などにおいて以前に検出されたスペクトル変化に対応する履歴情報）などの他の入力を含むことができる。
【０１０１】
この方法で、システムを、コンピュータサーバを介して、同じ種類であってよく、あるいは同じ種類でなくてもよい他のシステムへと接続することができる。そのような追加のシステムは、センサネットワーク、マイクログリッド、インターネット、他のコンピュータサーバ、あるいは関心の他の電子装置または通信ネットワークを含むことができる。
【０１０２】
さらに、光電子装置が互いに通信することもでき、例えば異なる種類の光電子装置を他の光電子装置を制御するようにプログラムし、サーバの使用と他の光電子装置によって実行されるべき動作も制御することができる光電子装置とを組み合わせることができ、これは、システムについて意図される用途、１つ以上の領域における装置の位置、などに応じて好ましい可能性がある。
【０１０３】
システムのさらなる用途の例が、図６に示される本発明の実施形態であり、本発明による複数の光電子装置（装置１００ｄまたは１００ｅなど）を備えるシステムが、領域１に、この領域において人々または物体の追跡し、随意により相応に適切な光を発し、さらには／あるいはさらなる装置またはコンピュータサーバへと情報を送信することを目的として、各々の装置１００ｄの分光計の範囲３００ｄの合計によって実質的に領域の全体を覆うように配置されている。より具体的には、先の実施形態において見られるように、分光計の範囲３００ｄが互いに部分的に重なり合っており、システムにおいて、人間２が或る範囲から別の範囲へと領域１を通過したならば、重なり合いの領域ゆえに両方の装置が人間を検出し、所定のスペクトル成分を有する所定の光を発し、あるいはこの情報をさらなる処理のために送信することができる。この処理は、コンピュータプログラムにもとづく個人または人物の特定を含むことができる。コンピュータアルゴリズムは、１つ以上の光電子装置（すなわち、分散プログラミング）および／またはコンピュータサーバに含まれてよい。パターン認識を実行するために、アルゴリズムは、ニューラルネットワーク、ファジー論理、および／または他の先進のコンピュータパラダイムなどのソフトコンピューティングにもとづく技術を含むことができる。
【０１０４】
例えば、装置１００ｄの範囲３００ｄ内の人物を検出するために、その特定の人物について受信されたスペクトル成分にもとづく所定のパターンが保存される。次いで、このパターンがシステムによってあらかじめ保存されたデータベースに存在する人物または物体であると認識されると、特定を知らせる信号または他の情報を、ネットワークを通じて他の光電子装置またはサーバへと送信することができ、他の光電子装置またはサーバが必要な動作を行なうことができる。
【０１０５】
この情報は、例えば追跡対象のユーザについてあらかじめ設定される照明の状態に関連できる特定のスペクトル成分を有する光を再現するために、他の装置に対して特定の光を発するように要求する一連の指示を含むことができ、あるいはＬＥＤを制御するドライバへと直接送信されてもよい。
【０１０６】
さらに、前記情報は、例えば、衣服のさまざまな種類の色、特定の様相で光を反射する衣服の種類、人間の皮膚または髪の反射の種類、などによって反射される光に対応するスペクトルの特徴を含むことができる。
【０１０７】
さらに、物体または人物の移動を、スペクトルの変化の速さや、或る種類から別の或る種類への変化であるか否かなど、他の特徴を加えて検出することもできる。情報を、特定の空間において異なる光電子装置が得たスペクトルを比較することによって集めることもできる。光電子装置および追加のコンピュータサーバの間で通信ポートを介して情報を共有するこの方法は、照明システムが設置された空間の全体において生じる変化を追跡するうえで役に立つことができる。
【０１０８】
このシステムの用途は、すべての装置が弱く発光し、あるいは発光しておらず、移動している物体または人物が特定の光電子装置の下方を通過するときに、この光電子装置の発光が快適な照明レベルに切り換わることで、通過する人物の経路を照明する用途である。光電子装置の読み出しの範囲が互いに重なり合っているため、人物の前方の経路が照明される（図において見られるように、例えば装置１００ｄおよび範囲が太線で示されている装置によって照明される）とともに、人物の背後または人物から遠い経路を照明する光（図において見られるように、例えば装置１００ｅおよび範囲が細い線で示されている装置）が減光され、したがって領域のうちの人物に隣接する部分（および、人物の歩行の進路に対応する部分）だけが照明され、全体としてのプロセスにおけるエネルギを節約することができる構成を実現することができる。
【０１０９】
人工ニューラルネットワークが、８０年代における復興以来、多くの用途において使用されている。その最も一般的な使用例は、パーソナルコンピュータまたはワークステーションにおいて動作するプログラムであり、ユーザがそれらの用途の要件に応じてネットワークの接続形態、処理要素の種類、または学習の規則を容易に変更することができるそのソフトウェアの高い柔軟性ゆえに幅広く使用されている。
【０１１０】
しかしながら、逐次処理コンピュータにおけるニューラルネットワークの実現は、人工ニューラルネットワークの起源である生物学的なニューラルネットワークが高度に並列に動作するため、きわめて逆説的になると思われる。
【０１１１】
高度に並列なニューラルシステムへのステップは、複数の処理要素（ニューロン）の利用である。この意味で、光電子装置からなるシステムは、そのような並列コンピューティングへの手法を実行するために好適となりうる。
【０１１２】
本発明のさらに別の実施形態においては、光電子装置からなるシステムにおける並列コンピューティングの使用を、空間内に分布した複数の光電子装置がニューラルネットワークのノード（人工ニューロン）として機能するニューラルネットワークの生成において具現化することができる。ノード間の接続または通信を、ノード間の通信ネットワークによって実行でき、あるいはすでに述べたように、エンコードされた情報を光スペクトル内に含んでいる光によって実行することができる。この意味で、そのようなシステムにおいては、ニューラルネットワークにおいて普通に使用される非線形、分散、並列、かつローカルな処理および調整の原理を、容易に実現することができる。
【０１１３】
さらに、ニューラルネットワークに、情報処理のための数学的モデルまたは計算モデルが備えられる。計算モデルを、各々の光電子装置のマイクロコントローラによって保存および／または実行でき、さらには／あるいは複数の光電子装置へと分散させることができ、もしくはパーソナルコンピュータなどの通信ポートを通じて中央演算処理装置によって制御することもできる。
【０１１４】
本発明を例示の目的で詳しく説明したが、そのような詳細があくまでも説明の目的のためのものにすぎず、当業者であれば本発明の技術的範囲から離れることなく変更を行なうことが可能であることを、理解すべきである。
【０１１５】
すなわち、方法およびシステムの好ましい実施形態を、それらの開発の環境を参照して説明したが、それらは本発明の原理の例示にすぎない。他の実施形態および構成を、添付の特許請求の範囲の技術的範囲から離れることなく、考え出すことが可能である。
【０１１６】
さらに、図面を参照して説明した本発明の実施形態は、コンピュータ装置およびコンピュータ装置において実行されるプロセスを含んでいるが、本発明は、本発明を実行するように構成されたコンピュータプログラム（とくには、担体上または担体内のコンピュータプログラム）にも広がる。プログラムは、ソースコード、オブジェクトコード、あるいは途中までコンパイルされた形態などのコード中間ソースおよびオブジェクトコードの形態であってよく、もしくは本発明によるプロセスの実行において使用するために適した任意の他の形態であってよい。担体は、プログラムを保持することができる任意の実体または装置であってよい。
【０１１７】
例えば、担体は、ＲＯＭ（例えば、ＣＤ  ＲＯＭまたは半導体ＲＯＭ）などの記憶媒体、あるいは例えばフロッピーディスクまたはハードディスクなどの磁気記録媒体を含むことができる。さらに、担体は、電気または光ケーブルあるいは無線または他の手段によって伝達することができる電気または光信号などの送信可能な媒体であってよい。
【０１１８】
プログラムが、ケーブルあるいは他の装置または手段によって直接伝達することができる信号に具現化される場合、担体を、そのようなケーブルあるいは他の装置または手段によって構成することができる。
【０１１９】
あるいは、担体が、プログラムが組み込まれており、関連のプロセスを実行するように構成され、あるいは関連のプロセスの実行に使用されるように構成された集積回路であってもよい。
【図１】
0005745644.tif 000002
【図２ａ】
0005745644.tif 000003
【図２ｂ】
0005745644.tif 000004
【図２ｃ】
0005745644.tif 000005
【図３】
0005745644.tif 000006
【図４】
0005745644.tif 000007
【図５】
0005745644.tif 000008
【図６】
0005745644.tif 000009